(57)【要約】      （修正有）【課題】リラックスした状態で効率よく濃縮酸素を体内に取り入れながら施療を施し得る施療機用濃縮酸素供給装置を提供する。【解決手段】人体を施療する施療機２両側部に一対の支柱部５１を立設状に設け、該支柱部５１上部に濃縮酸素吹出部３８１を備えた橋架部材５２を架設し、該支柱部５１の中間部間と橋架部材５２間に頭上カバーを下部が開放するよう架設支持すると共に該頭上カバー４２５に内沿して前後に揺動する揺動カバー４２３・４２４を下部が開放するよう架設支持した床面設置自在なカバー体４と、該カバー体４内部に空気中の酸素濃度より高濃度の濃縮酸素を供給する濃縮酸素供給装置３と、該濃縮酸素供給装置３から濃縮酸素供給ホース３８を介して供給される濃縮酸素をカバー体４内部に吹出させる濃縮酸素吹出部３８１とで構成し、濃縮酸素供給装置３から供給される濃縮酸素をカバー体４内部全体に効率よく充填させるようにした。【選択図】図８
2005118062.tif 000002
【特許請求の範囲】
【請求項１】
人体施療用の施療機を覆い得る床面設置自在なカバー体内部に空気中の酸素濃度より高濃度の濃縮酸素を供給する濃縮酸素供給装置を設け、該濃縮酸素供給装置から濃縮酸素供給ホースを介して供給される濃縮酸素を濃縮酸素吹出部からカバー体内部に吹出させるようにした施療機用濃縮酸素供給装置において、前記カバー体が、前記施療機両側部に一対の支柱部を立設状に設け、該支柱部上部に濃縮酸素吹出部を備えた橋架部材を架設し、該支柱部の中間部間と橋架部材間に頭上カバーを下部が開放するよう架設支持すると共に該頭上カバーに内沿して前後に揺動する揺動カバーを下部が開放するよう架設支持し、揺動カバーが頭上カバーに沿って摺動してカバー範囲を拡縮できるよう構成したカバー体である事を特徴とする施療機用濃縮酸素供給装置。
【請求項２】
人体施療用の施療機を覆い得る床面設置自在なカバー体内部に空気中の酸素濃度より高濃度の濃縮酸素を供給する濃縮酸素供給装置を設け、該濃縮酸素供給装置から濃縮酸素供給ホースを介して供給される濃縮酸素を濃縮酸素吹出部からカバー体内部に吹出させるようにした施療機用濃縮酸素供給装置において、前記カバー体が、施療機を覆い得る床面設置自在なカバー体と、該カバー体の両側部に一対の支柱部を立設状に設け、該支柱部上部に濃縮酸素吹出部を備えた橋架部材を架設し、該支柱部の中間部間と橋架部材間に頭上カバーを下部が開放するよう架設支持すると共に該頭上カバーに内沿して前後に揺動する揺動カバーを下部が開放するよう架設支持したカバー体との二重で構成されたカバー体である事を特徴とする施療機用濃縮酸素供給装置。
【発明の詳細な説明】
【技術分野】
【０００１】
本発明は、高酸素濃度の空気を体内に取り入れて、可及的にリラックスした状態で施療を施す事ができるようした施療機用濃縮酸素供給装置に関するものである。
【背景技術】
【０００２】
従来、空気よりも酸素濃度の高い濃縮酸素を供給する従来の酸素濃縮器システムは公知であり、該従来の酸素濃縮器システムは、濃縮酸素を人体に取り入れて人体血液中の酸素濃度を高める事により、疲労の元になる乳酸の分解を促進したり、血行を良好にしたりする等のリフレッシュ効果を得る事ができ、さらにマッサージ等の施療によって健康促進を相乗的に図る事ができるという効果を有するものである。
【０００３】
例えば、図２０は上記従来の酸素濃縮器システムを示したものであり、該システムは、空気中から高濃度の酸素を取り出し、供給する酸素濃縮器と、音楽用の記憶媒体を再生する音楽再生装置とを一つのキャビネットに収容された装置本体と、酸素濃縮器から供給された酸素の吹出口と音楽再生装置の出力部とを配置された着座台または寝台とを備えた酸素濃縮器システムであり、一つのキャビネット１０１に酸素濃縮器１０２と音楽再生装置１０３とを一体的に収納した装置本体１００と、酸素濃縮器１０２の酸素の吹出口２０１と音楽再生装置１０３の出力部２０２とを配置された着座台および寝台を兼ねたマッサージ手段を併せ備えたリクライニングチェア２００とを有し、これら装置本体１００とリクライニングチェア２００とは各々分離独立して構成され、室内に設置する場合に、室内の状況に応じて装置本体１００とリクライニングチェア２００とを近接して、または離間して配置することができ、その使用に際しては、人体頭部を覆うカバー体２０６で使用者の頭部を覆いながらカバー体２０６の前方側に備えた吹出口２０１により使用者に対して濃縮酸素を供給する事ができるように構成している。
【特許文献１】特開平１０−３１０４０４号公報（第３頁左欄、図１）
【発明の開示】
【発明が解決しようとする課題】
【０００４】
ところで、上記のような従来の酸素濃縮器システムは、装置本体１００に、酸素濃縮器１０２と音楽再生装置１０３とを一体的に収納しているため、大掛かりな形状のものとなってしまい、設置に困難性を有するという問題が有り、また、人体頭部をカバー体２０６にて覆い、人体顔の正面に向かうようにして前方から濃縮酸素を供給するための吹出口２０１を配設している事から、使用者に濃縮酸素が供給されている時には、カバー体２０６や吹出口２０１等が使用者に対して圧迫感を与え、また、頭部や上半身の姿勢を変えたりする時においてこれらが邪魔になり、施療機により施療を受けつつ濃縮酸素を供給される使用者に対してリラックスした開放感のある環境をもたらす事が困難であった。
【０００５】
更に、濃縮酸素は、濃縮酸素供給装置から外部へ供給されるとすぐに外気により稀釈しながら降下する為、上記のような人体頭部を覆う程度のカバー体２０６の場合には、濃縮酸素はカバー体２０６内部に溜まらず、直ちにカバー体２０６外気に希薄されてしまい、濃縮酸素の被使用効率は殆ど皆無の状態であると考えられる。
【０００６】
そこで本発明は、上記問題点を解消する為に成されたものであり、使用者の姿勢にかかわらずリラックスした状態で濃縮酸素を体内に取り入れながら施療を施して健康促進を相乗的に図る事ができると共に、供給された濃縮酸素の使用効率を可及的に向上させる事のできる施療機用濃縮酸素供給装置を提供する事を目的としてなされたものである。
【課題を解決するための手段】
【０００７】
すなわち、本発明の施療機用濃縮酸素供給装置は、人体を施療する施療機を覆い得る床面設置自在なカバー体と、該カバー体内部に空気中の酸素濃度より高濃度の濃縮酸素を供給する濃縮酸素供給装置と、該濃縮酸素供給装置から濃縮酸素供給ホースを介して供給される濃縮酸素をカバー体内部に吹出させる濃縮酸素吹出部とで構成する事を特徴とする。
【０００８】
また、本発明の施療機用濃縮酸素供給装置は、前記濃縮酸素吹出部を前記カバー体の上部に設けた事を特徴とする。
【０００９】
更に、本発明の施療機用濃縮酸素供給装置は、前記施療機が、座部と該座部に対して起伏自在な背凭れ部とを有する施療機である事を特徴とする。
【００１０】
更にまた、本発明の施療機用濃縮酸素供給装置は、前記カバー体を、複数のフレームを接続部材で互いに接続したフレーム部と、該フレーム部の外周を被覆するカバーとで構成したものである。
【００１１】
更に、本発明の施療機用濃縮酸素供給装置は、前記カバー体が、前記施療機周側部に立設状に設けられる支柱部と、該支柱部外面に張設されるカバーと、該カバー上部近郊に濃縮酸素供給装置からが供給される濃縮酸素を吹出するための濃縮酸素吹出部とを備えており、該カバーの施療機前方対応部に前カバーを開閉自在に設けた事を特徴とする。
【００１２】
また、本発明の施療機用濃縮酸素供給装置は、前記カバー体のカバーが、支柱部を支点として揺動可能に構成した事を特徴とするものである。
【００１３】
更に、本発明の施療機用濃縮酸素供給装置は、前記カバー体が、前記施療機両側部に一対の支柱部を立設状に設け、該支柱部上部に濃縮酸素吹出部を備えた橋架部材を架設し、該支柱部の中間部間と橋架部材間に頭上カバーを下部が開放するよう架設支持すると共に該頭上カバーに内沿して前後に揺動する揺動カバーを下部が開放するよう架設支持し、揺動カバーが頭上カバーに沿って摺動してカバー範囲を拡縮できるよう構成したカバー体である事を特徴とするものである。
【００１４】
また本発明の施療機用濃縮酸素供給装置は、前記カバー体を、施療機を覆い得る床面設置自在なカバー体と、該カバー体の両側部に一対の支柱部を立設状に設け、該支柱部上部に濃縮酸素吹出部を備えた橋架部材を架設し、該支柱部の中間部間と橋架部材間に頭上カバーを下部が開放するよう架設支持すると共に該頭上カバーに内沿して前後に揺動する揺動カバーを下部が開放するよう架設支持したカバー体との二重で構成されたカバー体である事を特徴とするものである。
【００１５】
更にまた本発明の施療機用濃縮酸素供給装置は、カバー体が、カバー体自体を移動可能にすべく該カバー体底部に床面を移動し得る脚車を設けてある事を特徴とするものである。
【００１６】
また、本発明の施療機用濃縮酸素供給装置は、前記フレーム部のフレームに、濃縮酸素供給装置から供給される濃縮酸素が流通するための流通部を設けると共に各流通部から濃縮酸素を外部へ流出させる穴部を複数穿設した事を特徴とするものである。
【発明の効果】
【００１７】
本発明の施療機用濃縮酸素供給装置は、上記のように構成する事により次のような効果をもたらす。
すなわち、本発明の施療機用濃縮酸素供給装置は、人体を施療する施療機と、該施療機全体を覆う設置自在であるカバー体と、該カバー体内部に空気よりも高酸素濃度の濃縮酸素を供給する濃縮酸素供給装置と、該濃縮酸素供給装置が供給する濃縮酸素をカバー体内部に吹き出すための濃縮酸素吹出部とで構成している為、濃縮酸素供給装置から供給される濃縮酸素をカバー体内部全体に効率よく充填させる事ができる。
【００１８】
また、本発明の施療機用濃縮酸素供給装置は、前記濃縮酸素吹出部を前記カバー体の上方適所に設けている為、カバー体上部から下部へ濃縮酸素は徐々に降下し、カバー体内部全体に濃縮酸素を均等に充填する事ができる。
【００１９】
更に、本発明の施療機用濃縮酸素供給装置は、前記施療機が、座部と該座部に対して起伏自在な背凭れ部とを有する施療機にしている為、施療者が背凭れ部を適宜の起倒角度に設定した状態でカバー体内部の濃縮酸素を吸引する事ができ、リラックスした状態で濃縮酸素を体内に取り入れながら施療を施して相乗的な健康促進を図る事ができる
【００２０】
また、本発明の施療機用濃縮酸素供給装置は、カバー体のフレーム部を複数のフレームを接続体で互いに嵌脱自在に接続して組み立てる事ができるようにしている為、カバー体を容易に組立ができると共に不使用時にはフレーム部を分解して小さく纏まめる事ができる。
【００２１】
更にまた、本発明の施療機用濃縮酸素供給装置は、前記カバー体が、前記施療機周側部に立設状に設けられる支柱部と、該支柱部外面に張設されるカバーと、該カバー上部近郊に濃縮酸素供給装置からが供給される濃縮酸素を吹出するための濃縮酸素吹出部とを備えており、該カバーの施療機前方対応部に前カバーを開閉自在に設けたカバー体である為、濃縮酸素の外部流出を比較的最小限に抑えて前カバーからの出入りが可能である。
【００２２】
また、本発明の施療機用濃縮酸素供給装置は、カバー体を二重に構成して、外部のカバー体内部に人体頭部を覆う事のできる頭部カバーを設けるとともに、該頭部カバーの内部空間に前記濃縮酸素供給装置から供給する濃縮酸素が集中的に供給されるよう濃縮酸素吹出部を設けている為、使用者が集中的に効率良く濃縮酸素を取り入れる事ができる。
【００２３】
更に、本発明の施療機用濃縮酸素供給装置は、カバー体を、人体頭部上方を覆う頭上カバー部とその前後へ揺動する揺動カバーとで構成して、頭上カバーに対して前後方向に揺動可能に軸支している為、適宜揺動カバーを移動させて濃縮酸素が効率よく吸引できる適位置でのカバー設定を行う事ができる。
【００２４】
本発明の施療機用濃縮酸素供給装置は、前記カバー体の上方適所に前記濃縮酸素供給装置を配設している為、省スペース化を図る事ができる。
【００２５】
また、本発明の施療機用濃縮酸素供給装置は、前記カバー体の底部に該カバー体を床面にて滑らかに諸方に移動させる脚車を設けている為、カバー体を必要に応じて任意の場所に容易に移動する事ができる。
【００２６】
更に、本発明の施療機用濃縮酸素供給装置は、前記フレーム部のフレームに濃縮酸素が流通するための流通部を設け、該フレーム表面に多数穿設した穴部から濃縮酸素が吹き出すようにしている為、濃縮酸素を供給するためのホース等が不要であると共に効率的な濃縮酸素供給が可能となる。
【発明を実施するための最良の形態】
【００２７】
よって、本発明の施療機用濃縮酸素供給装置は、使用者の姿勢にかかわらずリラックスした状態で濃縮酸素を体内に取り入れながら施療を施して健康促進を相乗的に図る事ができ、しかも供給される濃縮酸素の使用効率を可及的に向上させるという目的を実現した。
【実施例１】
【００２８】
以下に、本発明の施療機用濃縮酸素供給装置を、図面に示す一実施例に基づきこれを詳細に説明する。
図１は本発明の施療機用濃縮酸素供給装置の実施例１を示す斜視図であり、図２は本発明の施療機用濃縮酸素供給装置の実施例１を示す説明図であり、図３は本発明の施療機用濃縮酸素供給装置の実施例１を示す説明図であり、図４は本発明の施療機用濃縮酸素供給装置の濃縮酸素供給装置の一実施例を示す斜視図であり、図５は本発明の施療機用濃縮酸素供給装置の濃縮酸素供給装置の一実施例を示す断面図であり、図６は本発明の施療機用濃縮酸素供給装置の実施例１を示す説明図であり、図７は本発明の施療機用濃縮酸素供給装置のカバー体におけるフレーム部のフレームの接続構造の実施例１を示す説明図である。
【００２９】
すなわち、本発明の施療機用濃縮酸素供給装置１は、図１から図３の実施例で示すように、人体を施療する施療機２（実施例では椅子式であるものを示した）と、空気よりも酸素濃度の高い濃縮酸素を供給する濃縮酸素供給装置３と、供給された濃縮酸素を内部にて充填するためのカバー体４と、濃縮酸素供給装置３から供給する濃縮酸素を吹き出すための濃縮酸素吹出部３８１とで構成している。
【００３０】
前記施療機２は、使用者の肩、腰、背中の接触部となる背凭れ部２１と、使用者の尻の接触部となる座部２２を備えたものとしている。さらに、該座部２２の前端部には、上下動自在とした足載せ部２３を備え、座部２２の左右両側に夫々肘掛け部２４を設けている。背凭れ部２１は、座部２２の後部に起倒自在として取り付けたものとしている。
【００３１】
前記背凭れ部２１の内部には、上下動自在として位置変更できる施療機構（図示せず）を備えたものとしており、該施療機構は、揉み、叩き、ローリングなどの施療を行う施療部材（図示せず）を設けたものとしている。前記座部２２及び足載せ部２３の内部にも必要に応じて施療機構（図示せず）を備えたものとしているが、該施療機構も同じく、振動、ローリングなどの施療を行う施療部材（図示せず）を設けたものとしている。
【００３２】
よって図３に図示する如く、使用者が前記カバー体４内部にて前記施療機２の前記座部２２に着座して、前記濃縮酸素供給装置３から供給され前記濃縮酸素吹出部３８１から吹き出す濃縮酸素を施療機２による施療を受けつつ体内に効率的に取り入れる事ができる。
【００３３】
濃縮酸素供給装置３には、図４と図５に示したように、ケ−シング３１と、該ケ−シング３１の外の空気が流入する吸入口３２と、流入した空気を排気するための排気口３３と、吸入口３２に対向して空気中の塵埃を除去するフィルタ３２１とが配設されている。
【００３４】
前記ケ−シング３１の内部には、前記吸入口３２と近接対向する酸素富化膜モジュ−ル３４が配置されており、該酸素富化膜モジュ−ル３４は周知のもので、その内部に選択透過セル３４１が夫々配列されており、流通空気中で透過速度の速い酸素が多量に透過され、他方、透過速度の遅い窒素はその透過量が少く、これにより酸素濃度の高い空気である濃縮酸素を生成する機能を有する。
【００３５】
また、酸素富化膜モジュ−ル３４の近傍には吸入送風機３５が設置されており、この吸入送風機３５の駆動によりケ−シング３１の外の空気が吸入口３２から酸素富化膜モジュ−ル３４内に流通する。
【００３６】
他方、前記排気口３３と近接対向する前記ケ−シング３１の内部には、排気送風機３６を設置し、更に該排気送風機３６の近傍には真空ポンプ３７が設置されており、該真空ポンプ３７はその吸入側が吸入管３７１を通じて前記酸素富化膜モジュ−ル３４に連結し、また、吐出側が吐出管３７２に連結し、該吐出管３７２を介してケ−シング３１の外に濃縮酸素を供給する可撓性材料で形成された屈曲自在である濃縮酸素供給ホース３８の基端側に連通している。
【００３７】
前記吐出管３７２は伝熱性の良好なアルミニウム材にて形成され、ジグザグ状に曲げ成形された冷却部３７２ａを有し、該冷却部３７２ａに前記真空ポンプ３７に吸引されて高温になった濃縮酸素を冷却するため前記吸入送風機３５の吹出し空気が当たるよう配置されている。
【００３８】
前記ケ−シング３１の上部に設けられた操作パネル３９を操作する事により、前記濃縮酸素供給装置３内部の前記吸入送風機３５や排気送風機３６及び真空ポンプ３７を稼働制御する事ができるもので有り、これにより、ケ−シング３１の外の空気は、前記フィルタ３２１を通って前記吸入口３２に流れ、更に前記酸素富化膜モジュ−ル３４内に流入する。該酸素富化膜モジュ−ル３４に流れた空気は該酸素富化膜モジュ−ル３４により酸素と窒素とに分離され、酸素濃度の高い空気である濃縮酸素が真空ポンプ３７に吸入される。
【００３９】
また、この真空ポンプ３７に吸入された濃縮酸素は、前記吐出管３７２及び前記濃縮酸素供給ホース３８に流れ、前記カバー体４内部に濃縮酸素が供給されるように該カバー体４と接続する濃縮酸素供給ホース３８の至端側である濃縮酸素吹出口部３８１から吹出す事になる。
【００４０】
他方、前記酸素富化膜モジュ−ル３４で分離され窒素を主体とする空気は、前記吸入送風機３５により前記吐出管３７２の前記冷却部３７２ａに吹出されるため、該冷却部３７２ａを通る濃縮酸素が冷却され、前記排気送風機３６の駆動と相俟って前記ケ−シング３１の下方に流れ、次いで前記真空ポンプ３７を冷却しながら排気送風機３６と前記排気口３３を通ってケ−シング３１の外に排出される。
【００４１】
尚、前記真空ポンプ３７の底部にあるポンプ脚部３７３と、前記ケ−シング３１の底部にあるケ−シング脚部３１１は夫々防振ゴム等にて形成されており、真空ポンプ３７を含めたケ−シング３１内で発生する振動が該ケ−シング３１の外に伝播しないようにしている。尚、図示しないが、ケ−シング３１の内壁に、多孔質の吸音材である吸音壁を用いるとよく、これにより高い防音効果が得られ、前記濃縮酸素供給装置３の室内での使用に都合がよい。
【００４２】
更に、図１と図２及び図６で示しているように、本発明の施療機用濃縮酸素供給装置１の前記カバー体４は、側面視半円形をしており、前記施療機２の接地面から上方全体をすっぽり覆うよう設置自在に設けている。該カバー体４はフレーム部４１と、該フレーム部４１の外側から被覆するように覆張設したカバー４２とで構成する。
【００４３】
前記フレーム部４１は、その前後方向中央最上部左右対称位置の左右夫々に、前記濃縮酸素供給ホース３８の至端側である濃縮酸素吹出部３８１を挿入接続するための挿入口４１４ａを設けた挿入口付接続体４１４を設け、左右の該挿入口付接続体４１４の夫々前後方向両端に、夫々上部湾曲フレーム４１１（全４本）の基端を前後左右対称的に接続連結し、次いで各該上部湾曲フレーム４１１の至端を夫々前後左右対称位置に設けた各中間接続体４１５（全４基）と接続連結し、各該中間接続体４１５は夫々下部湾曲フレーム４１２（全４本）の基端を前後左右対称的に接続連結し、各該下部湾曲フレーム４１２の至端を夫々前後左右対称位置に設けた各末端接続体４１６（４基）に接続連結し、更に左右の各挿入口付接続体４１４は、夫々幅方向にて直フレーム４１３を介して接続連結するとともに、各末端接続体４１６を幅方向にて夫々直フレーム４１３を介して接続連結して構成する。
【００４４】
前記フレーム部４１の上記接続構造を示すべく部分的に前記挿入口付接続体４１４付近の接続構造を図７にて例示するが、該挿入口付接続体４１４は、前記上部湾曲フレーム４１１及び前記直フレーム４１３と脱着自在に接続連結しており、前記濃縮酸素吹出部３８１は挿入口付接続体４１４の挿入口４１４ａに挿入するとともに穴付キャップナット４１４ｂにて挿入口４１４ａと連結している。
【００４５】
前記カバー体４とフレーム部４１は分離可能であり、更に該フレーム部４１を構成する前記上部湾曲フレーム４１１と前記下部湾曲フレーム４１２及び前記直フレーム４１３と、前記挿入口付接続体４１４と前記中間接続体４１５及び前記末端接続体４１６とは夫々脱着自在であるので、フレーム部４１は分解してコンパクトに収納する事ができる。
【００４６】
更に、図１から図３に示したように前記カバー４２の前方付近には使用者が設置された前記カバー体４内部に出入りする事ができるよう出入口４２１と前カバー４２２を設けている。図２に示すように前カバー４２２を捲った状態で使用者が出入りする事ができ、また前カバー４２２を下ろして閉じる事により、カバー体４内部に濃縮酸素が効率よく充填するよう該カバー体４の内部を閉塞する事ができる。
【００４７】
前記カバー４２は、透明のビニール系かナイロン系の軟質樹脂で形成されるものである為、前記カバー体４内部に前記施療機２に着座、或いは仰臥した使用者にとって、圧迫感を軽減する事ができ、且つ外部の様子を常に見る事ができ、更に不使用時には容易に折り畳んで収納する事ができる。
【００４８】
図６に示す如く、前記カバー体４はその内部にて人体を施療する前記施療機２の前記背凭れ部２１を後方に倒伏しても接触する事がないよう十分な内部空間を設けており、且つカバー体４の不使用空間の無駄な空間を省くべく側面視半円形をしているので濃縮酸素の使用効率を高める事ができ、且つ使用者がどんな姿勢であってもカバー体４内部にて濃縮酸素を体内に効率よく取り入れる事ができるのである。
【００４９】
前記左右の挿入口付接続体４１４の挿入口４１４ａは、前記カバー体４の最上部付近に位置しているので、該挿入口４１４ａに挿入接続している前記濃縮酸素吹出部３８１から送気供給される濃縮酸素は、その比重のために上部から下部へと徐々に降下しながら該カバー体４内部全体に充填される事になる。
【００５０】
更に前記左右の挿入口付接続体４１４の挿入口４１４ａは夫々左右にあるので、前記施療機２及び前記カバー体４の設置場所に応じて左右いずれかの適所に前記濃縮酸素供給装置３を設置する事ができる。尚、図示しないが、濃縮酸素吹出部３８１を挿入口４１４ａに接続していない方の挿入口４１４ａには、蓋などを取り付けて供給された濃縮酸素が漏出しないようにしておく事が望ましい。
【００５１】
尚、前記施療機は上記実施形態では、椅子型のものを例示したが、ベッド型やマット型などにおいても同様に採用できる。
【実施例２】
【００５２】
図８は本発明の施療機用濃縮酸素供給装置の実施例２を示す斜視図であり、図９及び図１０は本発明の施療機用濃縮酸素供給装置の実施例２を示す説明図である。
【００５３】
施療機２は、座部２２と該座部２２に対して起伏自在である背凭れ部２１と足載せ部２３とを備えるとともに、夫々施療を行う施療部材（図示せず）を設けており、座部２２の左右両側に夫々肘掛け部２４を設けている。
【００５４】
更に、前記施療機２の左右側面付近に夫々左右立設する支柱部５１と、左右の該支柱部５１を上方至端にて橋架連結する橋架部材５２とから構成する支柱部材５を設けている。
【００５５】
また、前記支柱部材５にはカバー体４が張設されており、該カバー体４は、施療機２の前方部において前後方向に開閉自在な前揺動カバー４２３と、施療機２の後部において前後方向に開閉自在な後揺動カバー４２４と、支柱部５上方に固設する頭上カバー４２５とから構成する。前揺動カバー４２３と後揺動カバー４２４は、支柱部材５の左右前記支柱部５１・５１中間下部付近に夫々設けられた各回動軸部５３により、回動開閉するよう構成している。
【００５６】
前記橋架部材５２内部において、濃縮酸素を供給する濃縮酸素供給装置３と、該濃縮酸素供給装置３によって供給された濃縮酸素を濃縮酸素供給ホース３８を介して吹出するための濃縮酸素吹出部３８１とを内設しており、該濃縮酸素吹出部３８１から吹出される濃縮酸素を前記カバー体４内部に送り込む事ができるよう構成している。
【００５７】
例えば、前記背凭れ部２１が起立状態の前記施療機２に使用者が着座した場合において、前記前揺動カバー４２３だけを前方に（図９では肘掛け部上面まで）手動にて閉塞し、次いで濃縮酸素を体内に取り入れる事になる。尚、この際に、後揺動カバー４２４は後方へ閉塞する必要はなく、背凭れ部２１の後方スペースを無駄に占有しない為、濃縮酸素においても有効に取り入れる事ができる。
【００５８】
他方、施療機２に使用者が着座して背凭れ部２１を倒伏状態にした場合においては、該背凭れ部２１の倒伏角度に応じて後揺動カバー４２４を後方へ手動にて閉塞すればよい。
【００５９】
尚、図面では、前揺動カバー４２３及び後揺動カバー４２４を、手動で閉塞する例を示したが、これを自動的に閉塞するようにしてもよく、また、背凭れ部２１の起伏に連動して後揺動カバー４２４のみを開閉するようにしても良い。
【００６０】
前記カバー体４は、その不使用時には、図１０に示したように、前記前揺動カバー４２３を後方の頭上カバー４２５内に移動収納すると共に前記後揺動カバー４２４を前方の頭上カバー４２５内に移動収納させてコンパクトに纏めておく事ができる。
【００６１】
尚、本実施例では、前記前揺動カバー４２３を前方に移動させて閉塞した状態にした場合にのみ、前記濃縮酸素吹出部３８１から前記カバー体４内部へ濃縮酸素が吹き出すように構成したものを例示している。
【実施例３】
【００６２】
更に、図１１は本発明の施療機用濃縮酸素供給装置の実施例３を示す斜視図であり、図１２及び図１３は本発明の施療機用濃縮酸素供給装置の実施例３を示す説明図である。
【００６３】
ここで示した施療機２も、座部２２と該座部２２に対して起伏自在である背凭れ部２１と足載せ部２３とを備えるとともに、夫々施療を行う施療部材（図示せず）を設けており、座部２２の左右両側に夫々肘掛け部２４を設けたものを使用した場合を示している。
【００６４】
前記施療機２の左右側面付近に夫々左右立設する支柱部５１と、左右の該支柱部５１を上方至端にて橋架連結する橋架部材５２とから構成する支柱部材５を設けている。
【００６５】
また、前記支柱部材５には、前記左右の支柱部５１・５１の上方付近に設けられた回動軸部５３を支点として前記施療機２の前後方向に回動自在となるよう軸支されたカバー体４が設けられており、該カバー体４は、回動軸部５３により回動自在に軸支された回動部材５４と、該回動部材５４の上方側と左右両側を共に被覆するように透明の硬質の樹脂で形成する頭上カバー４２５を設けている。
【００６６】
尚、該頭上カバー４２５前面には使用者が出入り可能な開口部４２３ａを形成されている。
【００６７】
更に、前記カバー体４は、前記頭上カバー４２５の前方において、例えば透明のビニール製或いはナイロン製の軟質樹脂材で形成する開閉自在な前揺動カバー４２３を備えるとともに、頭上カバー４２５の後方において硬質の板状で形成する後揺動カバー４２４を備えており、カバー体４内部に供給される濃縮酸素が充填されるように構成している。
【００６８】
前記橋架部材５２内部には、濃縮酸素を供給する濃縮酸素供給装置３を内設すると共に、前記頭上カバー４２５の上面にて濃縮酸素を吹き出すための濃縮酸素吹出部３８１が濃縮酸素供給ホース３８を介して配設されており、該濃縮酸素吹出部３８１から吹き出される濃縮酸素を前記カバー体４内部に供給する事ができる。
【００６９】
前記前揺動カバー４２３の下部左右と前記頭上カバー４２５の前方左右間に、ベルベット式ファスナー等の着脱部４２６を夫々配設されており、両者間を着脱できるようにしており、不意に前揺動カバー４２３と頭上カバー４２５とが離脱して前記カバー体４内部に充填している濃縮酸素が容易に流出しないようにする事ができると共に、外気の流入を防止できるようにしている。
【００７０】
例えば、図１２に示したように、記背凭れ部２１が起立状態の前記施療機２に使用者が着座した場合において、前記前揺動カバー４２３を手動にて閉塞し、次いで濃縮酸素を取り入れる事で、カバー体４内に濃縮酸素においても有効に取り入れる事ができる。
【００７１】
前記カバー体４は、背凭れ部２１の起倒動作に連動可能であり、該背凭れ部２１が倒伏状態にした場合に、図１３に示したように背凭れ部２１の先端部は後揺動カバー４２４内部裏面を上から下へ摺動しながら後揺動カバー４２４を後方へ押し出され、該後揺動カバー４２４は背凭れ部２１の倒伏に伴って後方に移動する。
【００７２】
また、逆に背凭れ部２１を倒伏状態から起立状態にした場合は、後揺動カバー４２４内部裏面を背凭れ部２１の先端部は下から上に摺動しながら後揺動カバー４２４は前方に戻り、背凭れ部２１の起立に伴って該後揺動カバー４２４は前方の元位置に復帰する。
【００７３】
故に、背凭れ部２１の起倒動作に連動してカバー体４が一定面積の状態のまま揺動する為、背凭れ部２１の後方スペースを無駄に占有せず、濃縮酸素においても無駄なく有効に取り入れる事ができる。
【００７４】
尚、施療機２は、本実施形態では椅子型のものを示したが、ベッド型やマット型などにおいても同様に採用できる。
【実施例４】
【００７５】
図１４は本発明の施療機用濃縮酸素供給装置の実施例４を示す斜視図であり、図１５は本発明の施療機用濃縮酸素供給装置の実施例４を示す説明図であり、図１６乃至図１８は本発明の施療機用濃縮酸素供給装置の実施例４を示す斜視図であり、図１９は本発明の施療機用濃縮酸素供給装置のフレーム部におけるフレーム内部の流通部についての一実施例を示す説明図である。
【００７６】
本実施例においても、前述した各実施例と同様に、座部２２と該座部２２に対して起伏自在である背凭れ部２１と足載せ部２３とを備え、且つ座部２２や背凭れ部２１及び足載せ部２３に夫々施療を行う施療部材（図示せず）を必要に応じて内装し、座部２２の左右両側には夫々肘掛け部２４を設けた施療機２を例示している。
【００７７】
フレーム部４１は、カバー体４を設置自在にするためのものであり、例えば軽金属材料や樹脂材料等で構成されて、前記施療機２を囲むようにして配設されており、該フレーム部４１の周縁にこれらの外側を被覆するシート部４２を被覆してカバー体４を設けて構成している。
【００７８】
尚、図示していないが、フレーム部４１は、上述した実施形態１で示したように各フレームを複数の接続体で連結自在に接続して、フレーム部４１を適宜に分解させてコンパクトに纏める事ができるようにしてもよい。
【００７９】
また、前記フレーム部４１の底部四隅には脚車４１８が設けられており、前記カバー体４を床面に沿って滑動させて任意の場所に移動させる事ができる。
【００８０】
前記施療機２の後方下部付近には、濃縮酸素を供給する濃縮酸素供給装置３が設けられており、該濃縮酸素供給装置３には、濃縮酸素を供給するための濃縮酸素供給ホース３８が連通状に配設されており、該濃縮酸素供給ホース３８の先端には濃縮酸素を吹き出すための濃縮酸素吹出部３８１が設けられている。尚、該濃縮酸素供給装置３は、設置場所を適宜に変更できるもので有り、例えば図１７に示したように前記フレーム部４１の頭頂部付近に載置しても良い。
【００８１】
前記濃縮酸素供給ホース３８は、前記フレーム部４１のホース取付部材３８２で係止し、また、前記濃縮酸素吹出部３８１はフレーム部４１の上方適所に吹出口取付部材３８１ａで吊設し、該濃縮酸素吹出部３８１の取り付け位置を前後に変更可能にている。
【００８２】
前記シート部４２の前部には、使用者が前記カバー体４内部に出入りするための出入口４２１と前カバー４２２が設けられており、該前カバー４２２は内部の充填された濃縮酸素が外部へ漏出しないようすべく出入口４２１上方に覆設されている。
【００８３】
前記背凭れ部２１の倒伏状態にした場合において、図１５に示すように、背凭れ部２１の倒伏に伴って該背凭れ部２１の上端部が前記シート部４２の後部をシート部４２内部から後方に押し出すように変形するのであるが、この際のシート部４２に対する張力が比較的最小になるように、前記フレーム部４１の後部下部に屈曲部４１７が設けてられている。
【００８４】
すなわち、該屈曲部４１７の形成により、背凭れ部２１の倒伏に伴って加わるシート部４２の特定部位に対する張力を最小限に抑え、該部位の破損を防止する為のものであり、背凭れ部２１の上端部が前記シート部４２の後部をシート部４２内部から後方に押し出した場合に、該シート部４２の下部分が屈曲部４１７に入り込み、張力を最小限に緩和するようにしているのである。
【００８５】
図１６は、前記カバー体４内部にて使用者が集中的且つ効率良く濃縮酸素を取り入れる事ができるよう、人体頭部を被覆し得る内部カバー４３を設けたものを例示している。
【００８６】
前記内部カバー４３は、人体頭上を被覆し得るよう前記フレーム部４１にこの左右が固設された頭上カバー４３２と、人体頭部前方を被覆し得るよう前記フレーム部４１の上部左右に夫々設けた回動部４２７・４２７で揺動可能に軸支された顔前カバー４３１とから成り、顔前カバー４３１が頭上カバー４３２方向に出入り可能に回動するように構成している。
【００８７】
また、前記頭上カバー４３２の後部中間付近には、濃縮酸素を吹き出すための濃縮酸素吹出部３８１が該頭上カバー部４３２内部に臨み得るよう吊設されており、前記内部カバー４３内部に濃縮酸素を効率良く集中的に供給する事ができるようにしている。
【００８８】
尚、上記のように、使用者が集中的に濃縮酸素を取り入れる必要がない時は、前記顔前カバー４３１を頭上カバー部４３２に収納するよう開放させる事で、シート部４２のみによる内部密閉が行なえる為、使用者の顔前を開放しながら濃縮酸素を体内に取り入れる事ができる。
【００８９】
図１８及び図１９は、前記フレーム部４１の各フレーム内部を空洞にし、内部が連通するよう構成した流通部４１９を設け、該流通部４１９に濃縮酸素供給装置３から供給される濃縮酸素を流通させてカバー体４内部へ噴出させる事ができるよう該濃縮酸素供給装置３の濃縮酸素フレーム供給口３８３と流通部４１９とが連結されている。
【００９０】
前記流通部４１９の内部側には、図１９に示したように、前記フレーム部４１の各フレーム内部を流通する濃縮酸素を前記カバー体４内部全体に噴出させる為の穴部４１９ａが多数穿設されており、穴部４１９ａから噴出された濃縮酸素を施療機２に着座している使用者に均等に供給できるようにしている。
【００９１】
上記の構成故に、前記濃縮酸素供給装置３から供給された濃縮酸素は前記フレーム部４１のフレーム内の流通部４１９に供給され、該流通部４１９の内部気圧が所定以上に上昇する事で、流通部４１９表面の穴部４１９ａから濃縮酸素は漸進的に順次噴出して、前記カバー体４内部全体に均等な濃縮酸素が充填されるのである。
【００９２】
尚、前記流通部４１９の穴部４１９ａは、図示したような前記フレーム部４１の全フレームに設ける必要は無く、必要に応じて適宜のフレームを限定して穿設するようにしても良い。
【図面の簡単な説明】
【００９３】
【図１】本発明の施療機用濃縮酸素供給装置の実施形態１を示す斜視図である。
【図２】本発明の施療機用濃縮酸素供給装置の実施形態１を示す説明図である。
【図３】本発明の施療機用濃縮酸素供給装置の実施形態１を示す説明図である。
【図４】本発明の施療機用濃縮酸素供給装置の濃縮酸素供給装置の一実施形態を示す斜視図である。
【図５】本発明の施療機用濃縮酸素供給装置の濃縮酸素供給装置の一実施形態を示す断面図である。
【図６】本発明の施療機用濃縮酸素供給装置の実施形態１を示す説明図である。
【図７】本発明の施療機用濃縮酸素供給装置のカバー体におけるフレーム部のフレームの接続構造の実施形態１を示す説明図である。
【図８】本発明の施療機用濃縮酸素供給装置の実施形態２を示す斜視図である。
【図９】本発明の施療機用濃縮酸素供給装置の実施形態２を示す説明図である。
【図１０】本発明の施療機用濃縮酸素供給装置の実施形態２を示す説明図である。
【図１１】本発明の施療機用濃縮酸素供給装置の実施形態３を示す斜視図である。
【図１２】本発明の施療機用濃縮酸素供給装置の実施形態３を示す説明図である。
【図１３】本発明の施療機用濃縮酸素供給装置の実施形態３を示す説明図である。
【図１４】本発明の施療機用濃縮酸素供給装置の実施形態４を示す斜視図である。
【図１５】本発明の施療機用濃縮酸素供給装置の実施形態４を示す説明図である。
【図１６】本発明の施療機用濃縮酸素供給装置の実施形態４を示す斜視図である。
【図１７】本発明の施療機用濃縮酸素供給装置の実施形態４を示す斜視図である。
【図１８】本発明の施療機用濃縮酸素供給装置の実施形態４を示す斜視図である。
【図１９】本発明の施療機用濃縮酸素供給装置のフレーム部におけるフレーム内部の流通部についての一実施形態を示す説明図である。
【図２０】従来技術についての説明図である。
【符号の説明】
【００９４】
１    施療機用濃縮酸素供給装置
２    施療機
３    濃縮酸素供給装置
３８    濃縮酸素供給ホース
３８１    濃縮酸素吹出部
３８３    濃縮酸素フレーム供給口
４    カバー体
４１    フレーム部
４１１    上部湾曲フレーム
４１２    下部湾曲フレーム
４１３    直フレーム
４１８    脚車
４１９    流通部
４１９ａ  穴部
４２    シート部
４２１    出入口
４２２    前カバー
４２３    前揺動カバー
４２３ａ  開口部
４２４    後揺動カバー
４２５    頭上カバー
４３    内部カバー
４３１    顔前カバー
４３２    頭上カバー
５    支柱部材
５１    支柱部
５２    橋架部材
【図１】
2005118062.tif 000003
【図２】
2005118062.tif 000004
【図３】
2005118062.tif 000005
【図４】
2005118062.tif 000006
【図５】
2005118062.tif 000007
【図６】
2005118062.tif 000008
【図７】
2005118062.tif 000009
【図８】
2005118062.tif 000010
【図９】
2005118062.tif 000011
【図１０】
2005118062.tif 000012
【図１１】
2005118062.tif 000013
【図１２】
2005118062.tif 000014
【図１３】
2005118062.tif 000015
【図１４】
2005118062.tif 000016
【図１５】
2005118062.tif 000017
【図１６】
2005118062.tif 000018
【図１７】
2005118062.tif 000019
【図１８】
2005118062.tif 000020
【図１９】
2005118062.tif 000021
【図２０】
2005118062.tif 000022